(57)【要約】【課題】  ループを形成したベルト状の濾布１と、濾布１を挟み込む１対のロール３とを有し、濾布１を移送しつつ濾布上に供給されるスラリー１１をロール３にて圧搾脱水するスラリー脱水機において、濾布の幅にかかわらず濾布にしわの発生しない双ロール型スラリー脱水機を提供する。【解決手段】  濾布１の幅方向に張力を付与するための横張力付与ロール２を設置してなることを特徴とするスラリー脱水機である。横張力付与ロール２として、円弧状に湾曲した軸を回転中心とする湾曲回転ロール１５、又は、横張力付与ロール２の周方向に放射状に配置された移動板２２をロールの軸方向左右にそれぞれ配置した直線型エキスパンドロール、又は、横張力付与ロール２の周面にスパイラル突起部２８を有し、スパイラル形状は、ロール幅方向左右のスパイラル形状が逆ネジ方向を有するスパイラルロール２７を用いることができる。【選択図】  図１
2006212677.tif 000002
【特許請求の範囲】
【請求項１】
ループを形成したベルト状の濾布と、該濾布を挟み込む１対のロールとを有し、濾布を移送しつつ濾布上に供給されるスラリーを前記ロールにて圧搾脱水するスラリー脱水機において、前記濾布の幅方向に張力を付与するための横張力付与ロールを設置してなることを特徴とするスラリー脱水機。
【請求項２】
前記横張力付与ロールが、円弧状に湾曲した軸を回転中心とする湾曲回転ロールであることを特徴とする請求項１に記載のスラリー脱水機。
【請求項３】
濾布幅両端における湾曲回転ロールの回転軸中心位置を結んだ直線と、ロール幅方向中心における湾曲回転ロールの回転軸中心位置との距離が、濾布幅の１／１５０〜１／２０の範囲であることを特徴とする請求項２に記載のスラリー脱水機。
【請求項４】
前記横張力付与ロールは、該横張力付与ロールの周方向に放射状に配置された移動板を有し、該移動板はロールの軸方向左右にそれぞれ配置され、該移動板が濾布と接しているときにロール幅中心からロール端部に向かって移動する直線型エキスパンドロールであることを特徴とする請求項１に記載のスラリー脱水機。
【請求項５】
前記移動板の最大移動量を濾布幅の０．５〜５％の範囲とすることを特徴とする請求項４に記載のスラリー脱水機。
【請求項６】
前記横張力付与ロールは、該横張力付与ロールの周面にスパイラル状に配置された凸部（以下「スパイラル突起部」という。）を有し、前記スパイラル形状は、横張力付与ロールの幅方向において、一方の側のスパイラル形状が他方の側のスパイラル形状に対して逆ネジ方向を有するスパイラルロールであることを特徴とする請求項１に記載のスラリー脱水機。
【請求項７】
前記スパイラル形状は、ロール径の１１０〜２５０％に相当するスパイラルピッチを有することを特徴とする請求項６に記載のスラリー脱水機。
【請求項８】
前記スパイラル突起部頂点と回転中心との距離は、スパイラル突起部以外の部分における横張力付与ロールの半径の１〜１０％大きいことを特徴とする請求項６又は７に記載のスラリー脱水機。
【請求項９】
前記スパイラルロールの周速を濾布移送速度に対して±１０％の範囲で可変速としたことを特徴とする請求項６乃至８のいずれかに記載のスラリー脱水機。
【請求項１０】
濾布上にスラリーを供給する位置から前記１対のロール位置までの間に、濾布を支持するロールあるいはプレートの少なくとも１種を設置したことを特徴とする請求項１乃至９のいずれかに記載のスラリー脱水機。
【請求項１１】
濾布の幅端部検出装置を備えることを特徴とする請求項１乃至１０のいずれかに記載のスラリー脱水機。
【請求項１２】
製鉄工程で発生したスラリーの脱水に用いることを特徴とする請求項１乃至１１のいずれかに記載のスラリー脱水機。
【発明の詳細な説明】
【技術分野】
【０００１】
本発明は、含水率の高いスラリーを脱水して含水率を低減するためのスラリー脱水機に関するものである。
【背景技術】
【０００２】
含水率の高いスラリーを脱水して含水率を低減するためのスラリー脱水機として、ループを形成したベルト状の濾布と、該濾布を挟み込む１対のロールとを有し、濾布を移送しつつ濾布上に供給されるスラリーを前記ロールにて圧搾脱水するスラリー脱水機が知られている。以下、このような形式のスラリー脱水機を、双ロール型スラリー脱水機ともいう。
【０００３】
双ロール型スラリー脱水機においては、ベルト状の濾布は無端状に巻き回され、その濾布は１対のロール（以下「圧搾ロール」ともいう。）に挟み込まれる。濾布は圧搾ロールの回転と共に所定の速度で移動する。濾布上に供給されたスラリーは、濾布の移送に伴って圧搾ロールに送り込まれ、ロール間で圧搾されることによってスラリー中の水分が排出される。排出された水分は濾布を通過し、濾布の下方で回収される。圧搾ロールで圧搾されて含水率が低下したスラリーは、一方の圧搾ロールに転着するので、この転着したスラリーをスクレーパーで掻き落として回収される。
【０００４】
特許文献１には、上記構成に加え濾布へのスラリー供給位置と圧搾ロールとの中間に濾布の下面側から吸引負圧を作用させてスラリーを初期脱水する負圧脱水部を備えた双ロール型スラリー脱水機が記載されている。
【０００５】
特許文献２には、双ロール型スラリー脱水機を用いて、製鉄工程で発生する酸化鉄を含むスラリーを脱水する方法が記載されている。
【０００６】
【特許文献１】特開２００１−１７０４１９号公報
【特許文献２】特開２００２−１３６９９８号公報
【発明の開示】
【発明が解決しようとする課題】
【０００７】
ベルト状濾布を用いる双ロール型スラリー脱水機に用いるベルト状濾布として、特許文献１に記載のものでは濾布幅１０００ｍｍのものが用いられ、特許文献２に記載のものでは濾布幅１．２ｍのものが用いられている。脱水機の能力を増大するためには、濾布幅の広い濾布を用いることが有効である。ところが、双ロール型スラリー脱水機に用いるベルト状濾布として、特許文献１、２に記載のものに比較してより広い幅の濾布を用いると、脱水機の運転中にベルト状濾布にしわが発生することがある。しわは、濾布の進行方向に沿って発生し、一旦、濾布にしわが発生すると、濾布の有効幅が狭くなるだけでなく、しわをロールで繰り返しプレスするため、やがて濾布がしわ部より破れ、場合によっては濾布の破れ部よりスラリーが流出するという現象に進展し、脱水機の正常な運転が困難になることがある。
【０００８】
本発明は、濾布の幅にかかわらずしわの発生しない双ロール型スラリー脱水機を提供することを目的とする。
【課題を解決するための手段】
【０００９】
即ち、本発明の要旨とするところは以下の通りである。
（１）ループを形成したベルト状の濾布１と、濾布１を挟み込む１対のロール３とを有し、濾布１を移送しつつ濾布上に供給されるスラリー１１をロール３にて圧搾脱水するスラリー脱水機において、濾布１の幅方向に張力を付与するための横張力付与ロール２を設置してなることを特徴とするスラリー脱水機。
（２）横張力付与ロール２が、円弧状に湾曲した軸を回転中心とする湾曲回転ロール１５であることを特徴とする上記（１）に記載のスラリー脱水機。
（３）濾布幅両端における湾曲回転ロール１５の回転軸中心位置を結んだ直線と、ロール幅方向中心における湾曲回転ロールの回転軸中心位置との距離ｘが、濾布幅Ｗの１／１５０〜１／２０の範囲であることを特徴とする上記（２）に記載のスラリー脱水機。
（４）横張力付与ロール２は、横張力付与ロール２の周方向に放射状に配置された移動板２２を有し、移動板２２はロールの軸方向左右にそれぞれ配置され、移動板２２が濾布１と接しているときにロール幅中心からロール端部に向かって移動する直線型エキスパンドロールであることを特徴とする上記（１）に記載のスラリー脱水機。
（５）移動板２２の最大移動量を濾布幅Ｗの０．５〜５％の範囲とすることを特徴とする上記（４）に記載のスラリー脱水機。
（６）横張力付与ロール２は、横張力付与ロール２の周面にスパイラル状に配置された凸部（以下「スパイラル突起部２８」という。）を有し、スパイラル形状は、横張力付与ロール２の幅方向において、一方の側のスパイラル形状が他方の側のスパイラル形状に対して逆ネジ方向を有するスパイラルロール２７であることを特徴とする上記（１）に記載のスラリー脱水機。
（７）スパイラル形状は、ロール径Ｄの１１０〜２５０％に相当するスパイラルピッチＰを有することを特徴とする上記（６）に記載のスラリー脱水機。
（８）スパイラル突起部頂点と回転中心との距離は、スパイラル突起部以外の部分における横張力付与ロールの半径の１〜１０％大きいことを特徴とする上記（６）又は（７）に記載のスラリー脱水機。
（９）スパイラルロール２７の周速を濾布移送速度に対して±１０％の範囲で可変速としたことを特徴とする上記（６）乃至（８）のいずれかに記載のスラリー脱水機。
（１０）濾布上にスラリーを供給する位置から前記１対のロール位置までの間に、濾布を支持するロールあるいはプレートの少なくとも１種を設置したことを特徴とする上記（１）乃至（９）のいずれかに記載のスラリー脱水機。
（１１）濾布の幅端部検出装置を備えることを特徴とする上記（１）乃至（１０）のいずれかに記載のスラリー脱水機。
（１２）製鉄工程で発生したスラリーの脱水に用いることを特徴とする上記（１）乃至（１１）のいずれかに記載のスラリー脱水機。
【発明の効果】
【００１０】
本発明の双ロール型スラリー脱水機は、ループを形成したベルト状の濾布の幅方向に張力を付与するための横張力付与ロールを設置しているため、常に濾布に幅方向の張力を付与してしわの発生を防止し、あるいは発生したしわを伸ばすことが可能であるため、濾布にしわを発生させることなく幅の広い濾布を用いた双ロール型スラリー脱水機とすることができる。
【発明を実施するための最良の形態】
【００１１】
双ロール型スラリー脱水機の基本的構成を図１に基づいて説明する。
【００１２】
ループを形成したベルト状の濾布１は、繊維で編み込まれた布や不撚布で構成されるものであり、素材としては合成繊維を用いることができる。スラリーの水分吸収のよい合成繊維製のフェルトを用いた濾布が特に望ましい。ループを形成した濾布１は１対のロール（圧搾ロール３）に挟み込まれており、濾布１は圧搾ロール３の回転と共に所定の速度で移動する。スラリー供給口９からスラリー１１が濾布１に注がれる。濾布１は定常速度で、圧搾ロール３に向かって移動して、圧搾ロール３は定常速度で回転しながら、濾布１とその上のスラリー１１を上下から圧搾して水分を絞る。スラリー１１は水分が低下した状態で圧搾ロール３の下流側に送られる。スラリー１１に含有された水分の多くは、圧搾ロール３に押されて、濾布１の下側に押し出される。また、脱水後のスラリー１１は、濾布が圧搾ロールで下方に曲がる部分で、濾布１から分離させる。ただし、多くの脱水後スラリーは濾布と上側の圧搾ロール３ａに付着するので、これをスクレーパー１０によって削ぎ落とす。
【００１３】
脱水が終了して、スラリーを分離した後の濾布１には、スラリー中の粉体が付着している。このまま、次の脱水サイクルで使用すると更に粉体の付着が増えて、濾布の目詰まりが起きる。そこで、濾布洗浄を行う。洗浄ノズルにて、水を吹き付けて、洗浄槽において粉体で汚れた水を流す。あるいは必要に応じて２段の洗浄を行う。第一段の洗浄では、洗浄ノズルから界面活性剤を含んだ水を吹き付けて、粉体を落とすとともに、油分を乳化して落とす。第二段で、洗浄ノズルにて水を吹き付け、洗浄槽にて、粉体を洗い落とす。洗浄の段数は任意に決定できるので、限定されるものでない。
【００１４】
ループ状の濾布を伸延状態で保持し所定の速度で移送するため、脱水機には種々のロールが配置され、ループ状の濾布はこれらのロールに順次巻き回される。１対の圧搾ロール３は濾布１を駆動する駆動ロールを兼ねることができる。濾布１の移送に伴い、圧搾ロール３を出た濾布は、濾布を洗浄する洗浄槽内に設けられた水中ロール５を経由し、ループ状の濾布に長手方向の張力を与える縦張力付与ロール６を経由し、１対のスクイズロール４の間を通過する。濾布１は洗浄槽を経由する際に洗浄され、スクイズロール４によって濾布に含まれる水分が除去される。スクイズロール４から圧搾ロール３までの間において、スラリー供給口９から濾布上にスラリー１１が供給される。スクイズロール４と圧搾ロール３との間の位置には、濾布の走行位置を定めるためのガイダーロール８が配置される。その他、濾布１に沿って各所にフェルトロール７と呼ばれるロールを配置することがある。
【００１５】
圧搾ロール３とスクイズロール４とは左右に離間して配置され、ガイダーロール８は圧搾ロール３とスクイズロール４との中間部の若干上方に配置されている。そして、濾布１はその内面がガイダーロール８にガイドされ、緩いスロープの山形を描いて圧搾ロール３とスクイズロール４との間に張設されており、ガイダーロール８によって幅方向の位置ずれが修正されるようになっている。
【００１６】
本発明の横張力付与ロール２は、上記濾布ループのいずれかの箇所に、濾布１に接して配置される。横張力付与ロール２の最適配置位置は、濾布の幅方向に張力を付与する方式毎に定まるが、原則として、濾布の長手方向張力に基づいて濾布が横張力付与ロール周面に面圧をもって接することが可能な位置に配置すると良い。そのためには、横張力付与ロールによって濾布の走行方向が曲げられるような位置に配置することが好ましく、曲げ角度が大きくなるほど適切である。図１に示す例においては、横張力付与ロール２は縦張力付与ロール６とスクイズロール４との間の位置に配設されている。
【００１７】
本発明の横張力付与ロール２の形式としては、濾布の幅方向に張力を付与することができればいずれの形式をも用いることができるが、下記の湾曲回転ロール１５、直線型エキスパンドロール２１、スパイラルロール２７のいずれか１種または２種以上を用いることとすると好ましい。以下、順次説明する。
【００１８】
まず、図２に基づいて湾曲回転ロール１５について説明する。
【００１９】
湾曲回転ロール１５とは、円弧状に湾曲した軸１６を回転中心とする横張力付与ロール２である。円弧状に湾曲したロール軸１６に一定間隔を置いてベアリング１７を取り付け、その外側に弾性体で形成された外筒１９が配置される。弾性体としてゴムを用いることができる。ベアリング１７と外筒１９との間には円筒状の内ローラ１８を配置しても良い。
【００２０】
外筒１９は湾曲した回転軸１６に沿って湾曲変形する。従って、湾曲凸部側では外筒１９は軸方向に伸びており、逆に湾曲凹部側では外筒１９は軸方向に縮んでいる。このような湾曲回転ロール１５を回転軸周りに回転させると、外筒１９の一定の部分は、湾曲凹部側から湾曲凸部側に向かうに従って軸方向に伸張し、次いで湾曲凸部側から湾曲凹部側に向かう時点では軸方向に縮んでいく。
【００２１】
以上のように形成された湾曲回転ロール１５に濾布１を接触させる。湾曲回転ロール１５は、濾布の移動速度と湾曲回転ロール１５の周速が一致するように回転する。濾布１が接触する周方向の部分は、外筒１９が湾曲凹部側から湾曲凸部側に移動する部位とする。これにより、湾曲回転ロール１５に接触した濾布１は、外筒１９の表面が軸方向に伸張する変形に伴い、濾布１を幅方向に伸ばす力が働き、しわが伸ばされる。
【００２２】
湾曲回転ロール１５において、軸１６の湾曲程度が小さすぎると、十分なしわ伸ばし効果を得ることができない。図２（ｂ）に示すように、濾布幅をＷとし、濾布幅両端における湾曲回転ロールの回転軸中心位置を結んだ直線と、ロール幅方向中心における湾曲回転ロールの回転軸中心位置との距離ｘが、濾布幅Ｗの１／１５０以上であれば、十分なしわ伸ばし効果を得ることが可能である。
【００２３】
一方、軸の湾曲程度が大きすぎると、濾布中央部の張力が濾布端部に比べて大きくなって局所的に濾布が伸び、その部分の濾布の寿命が短くなるという問題が発生することがある。図２（ｂ）に示す距離ｘが濾布幅Ｗの１／２０以下であれば、このような問題が発生することなく、良好にしわ伸ばしを行うことができる。
【００２４】
湾曲回転ロール１５の外周面に濾布１が接触している範囲は、湾曲回転ロール１５の周方向３０°以上の範囲とすると好ましい。また、濾布１の長手方向に付与する張力は、各ロールがスムーズに回転し、かつ、濾布幅が適正な値となるよう管理すると好ましい。
【００２５】
次に、図３に基づいて直線型エキスパンドロール２１について説明する。
【００２６】
直線型エキスパンドロール２１とは、ロールの周方向に放射状に配置された移動板２２を有し、移動板２２はロールの軸方向左右にそれぞれ配置され、移動板２２が濾布１と接しているときにロール幅中心からロール端部に向かって移動する横張力付与ロール２である。図２に示す例では、移動板２２はロールの周方向に８枚が放射状に配置されている。各移動板２２はロールの幅方向にそれぞれ独立に移動可能であり、ロール２１が１回転する間に各移動板２２が１往復する。
【００２７】
ロール左側における１枚の移動板２２Ｌに着目して、図２（ｂ）に基づいてその運動について説明する。ロールの回転に伴い、移動板２２Ｌｃの位置で濾布１から離れると、移動板は２２Ｌｄの位置を経由して２２Ｌａまで回転し、その間に移動板２２Ｌは幅端部側から幅中央側に移動する。さらにロールが回転すると移動板２２Ｌは幅端部側への移動を開始する。そして移動板が２２Ｌｂの位置で次に濾布１に接した後も、移動板２２は幅中央側から幅端部側に移動し、２２Ｌｃの位置に到達する。この移動に伴い、濾布１は移動板２２に引っ張られることで幅端部側への張力を受け、濾布にしわが寄っている場合にはこのしわが延ばされる。
【００２８】
移動板２２はロールの軸方向左右にそれぞれ配置されており、移動板２２が濾布１に接する位置に到達すると、左側の移動板２２Ｌは左に向かって移動を開始し、右側の移動板２２Ｒは右に向かって移動を開始する。
【００２９】
図２に示す例では、ロールの回転に伴って移動板２２を移動させる機構としてカム機構を採用している。移動板２２はバネ２４などの作用によってカム板２３に押し付けられ、ロールの回転に伴ってカム板２３の軌跡をなぞりながら移動板２２が幅方向に往復運動を行う。
【００３０】
直線型エキスパンドロール２１において、ロールは円筒状のロール本体２５を有し、このロール本体の周面に放射状に移動板埋め込み溝２６を有し、この移動板埋め込み溝２６に移動板２２を埋め込んで軸方向に移動可能とすることができる。ただしロール本体２５は必須ではなく、放射状に配置した移動板２２を軸方向に移動可能に配置することができれば良い。
【００３１】
直線型エキスバンドロール２１において、ロール軸方向における移動板２２の移動量が小さすぎると、十分なしわ伸ばし効果を得ることができない。移動板２２の最大移動量を濾布幅Ｗの０．５％以上とすれば、十分なしわ伸ばし効果を得ることができる。
【００３２】
一方、ロールの軸方向における移動板２２の移動量が大きすぎると、移動板と濾布との摩擦が大きく、濾布が早期に摩耗して、濾布の寿命が短くなるという問題が発生することがある。移動板２２の最大移動量を濾布幅Ｗの５％以下とすれば、このような問題が発生することなく、良好にしわ伸ばしを行うことができる。
【００３３】
直線型エキスパンドロール２１に濾布１が接触している範囲は、直線型エキスパンドロール２１の周方向３０°以上の範囲とすると好ましい。また、濾布の長手方向に付与する張力は、各ロールがスムーズに回転でき、かつ、濾布幅が適正な値となるように管理すると好ましい。
【００３４】
次に図４に基づいてスパイラルロール２７について説明する。図４（ｂ）（ｃ）はＡ−Ａ矢視図、図４（ｅ）（ｆ）はＢ−Ｂ矢視図である。
【００３５】
スパイラルロール２７とは、ロールの周面にスパイラル状に配置された凸部（スパイラル突起部２８）を有し、スパイラル突起部２８のスパイラル形状は、ロールの幅方向において、一方の側のスパイラル形状が他方の側のスパイラル形状に対して逆ネジ方向を有する横張力付与ロールである。スパイラルロール２７は回転モーター２９によって駆動し、濾布１の移動速度とスパイラルロール２７の周速とを異なった速度とすることが可能である。
【００３６】
図４（ａ）に示す例では、スパイラルロール２７は幅中央を境にして図の左側に左ネジ、図の右側に右ネジの方向でスパイラル状に配置されたスパイラル突起部２８を有する。このスパイラルロール２７に、図４（ｂ）に示すように濾布１を接触させ、濾布を移動させる。ロール周速を濾布の移動速度と一致させた場合、図４（ｂ）に示す方向、即ちロールの左側から見たときに、ロールは左回転（反時計方向回転）を行う。さらにロールの周速を濾布の移動速度よりも速くした場合、ロール周面と濾布との間の相対速度によってすべりが発生する。濾布１から見ると、スパイラル突起部２８が濾布１の幅中心から幅端部に向けて移動することとなるので、これによって濾布１の幅方向に張力が発生し、濾布のしわが伸ばされることとなる。
【００３７】
図４（ａ）に示すスパイラルロールを用い、図４（ｃ）に示すようにロールの左側から見たときにロールが右回転（時計方向回転）するように濾布を接触させた場合には、上記とは逆にロールの周速を濾布の移動速度よりも遅くする。これによって、同じく濾布の幅方向に張力が発生し、濾布のしわが伸ばされることとなる。
【００３８】
図４（ａ）の場合とは反対に、図４（ｄ）に示すようにロールの左側に右ネジ、右側に左ネジの方向でスパイラル突起部２８を配置することもできる。この場合には、図４（ｅ）に示すよう濾布の移動方向がロールの左側から見たときにロールを左回転（反時計回転）させる場合であれば、ロールの周速を濾布の移動速度よりも遅い速度とする。逆に図４（ｆ）に示すように濾布の移動方向がロールの左側から見たときにロールを右回転（時計回転）させる場合であれば、ロールの周速を濾布の移動速度よりも速い速度とする。これにより、濾布の幅方向に張力が発生し、濾布のしわを伸ばすことができる。
【００３９】
スパイラルロール２７において、スパイラルピッチＰを図４（ａ）に示すように定義することができる。スパイラルピッチＰが小さすぎると、スパイラルと濾布との接触による摩耗が激しく、濾布の寿命が短くなるという問題が発生することがある。本発明においては、スパイラルピッチＰをロール径Ｄの１１０％以上とすることにより、この問題が発生することなく濾布のしわを伸ばすことが可能となる。逆に、スパイラルピッチＰが大きすぎると、しわを伸ばす効果が得られないという問題が発生することがある。本発明においては、スパイラルピッチＰをロール径Ｄの２５０％以下とすることにより、この問題が発生することなく濾布のしわを伸ばすことが可能となる。
【００４０】
スパイラルロールのスパイラル突起部２８の高さには好適な範囲がある。スパイラル突起部２８の高さが低すぎると、しわを伸ばす効果が得られないという問題が発生することがある。本発明においては、スパイラル突起部頂点と回転中心との距離をスパイラル突起部以外の部分における横張力付与ロールの半径の１％以上とすることにより、このような問題が発生することなく濾布のしわを伸ばすことが可能となる。逆にスパイラル突起部の高さが高すぎると、濾布にスパイラル突起部の形が残り、その部分からしわが発生しやすくなるという問題が発生することがある。本発明においては、スパイラル突起部頂点と回転中心との距離をスパイラル突起部以外の部分における横張力付与ロールの半径の１０％以下とすることにより、このような問題が発生することなく濾布のしわを伸ばすことが可能となる。
【００４１】
上述のとおり、濾布１をスパイラルロール２７に接触させ、濾布１の移動速度とスパイラルロール２８の周速との間に差異を持たせることにより、濾布１のしわを伸ばすための張力を濾布に与えることができる。本発明においては、スパイラルロール２７の周速と濾布移送速度との差の絶対値を濾布移送速度に対して２％以上大きくすることにより、しわ伸ばしのための張力を十分に付与することが可能となる。一方、濾布の移動速度とスパイラルロールの周速との差異が大きすぎると、濾布の摩耗が激しく、濾布の寿命が短くなるという問題が発生することがある。本発明においては、スパイラルロールの周速と濾布移送速度との差の絶対値を濾布移送速度に対して１０％以下とすることにより、上記問題が発生することなくしわ伸ばしを行うことができる。
【００４２】
スパイラルロール２７に濾布１が接触している範囲は、スパイラルロール２７の周方向３０°以上の範囲とすると好ましい。また、濾布の長手方向に付与する張力は、各ロールがスムーズに回転でき、かつ、濾布幅が適正な値となるように管理すると好ましい。
【００４３】
本発明のスラリー脱水機において、濾布上にスラリーを供給する位置から圧搾ロール３の位置までの間に、図１に示すように濾布を支持するロール（支持ロール３１）あるいはプレートの少なくとも１種を設置すると好ましい。スラリーの載った濾布は、スラリーの重さでたわむため、スラリーの供給位置と圧搾ロールとの間で濾布の全幅方向に対して、スラリーの載った部分の濾布が部分的にたわみ、その部分的なたわみが濾布にしわを誘発する原因となる。そこで、このたわみを抑えるために、濾布を支持するロールやプレートを配置することで、しわの発生を抑えることができる。
【００４４】
本発明のスラリー脱水機において、濾布の幅端部検出装置を備えることとすると好ましい。これは、濾布にしわが発生した場合には濾布幅が狭くなり、濾布の幅端部が正常位置よりも濾布中央部へ移動することから、濾布の幅端部を検出することで、しわ発生時の異常を早期に発見し、発生したしわの進行を阻止するために有効である。
【００４５】
濾布の幅端部検出装置としては、正常時に濾布が走行する濾布の幅端部付近を濾布の上方向からの位置に検出端を設置して、常時、濾布の有無を検出し、その位置から濾布が無くなったことを検出できる方法であればいずれの装置でも構わないが、赤外線、レーダー、マイクロ波、超音波などの検出装置が好適である。
【００４６】
本発明のスラリー脱水機は、製鉄工程で発生したスラリーの脱水に用いることとすると特に好ましい。製鉄工程で発生するスラリーとしては、転炉や高炉の集塵スラリー、圧延工程から排出されるスケール、弱酸スラリーを挙げることができる。製鉄工程において排出される酸化鉄を含むダストやスラリーは１０μｍ以下の微粒子を多く含んでいるため、真空脱水機やフィルタープレスなどの脱水機では脱水物の水分を十分に下げることができなかったが、双ロール脱水機では、水分を十分に低減可能であり、脱水物をリサイクルするのに適している。しかも、製鉄工程で発生したスラリーの複数種類を用いる場合には、それらの発生状況によって、スラリーの性状が変化するため、安定した脱水機の運転のためには、本発明のスラリー脱水機が好適である。
【実施例】
【００４７】
図１に示すスラリー脱水機を用い、横張力付与ロール２として図２に示す湾曲回転ロール１５を適用した。濾布幅は４２００ｍｍである。
【００４８】
湾曲回転ロール１５のロール径は１９０ｍｍφ、濾布幅両端における湾曲回転ロールの回転軸中心位置を結んだ直線と、ロール幅方向中心における湾曲回転ロールの回転軸中心位置との距離ｘは８０ｍｍである。ロールの材質として軸１６にはＳ４５Ｃ、外筒１９のゴムには黒色耐摩耗ＮＳＲを用いた。湾曲回転ロール１５の設置位置として、図１の横張力付与ロール２の位置とした。
【００４９】
横張力付与ロール２として従来のロールを用いた場合には、濾布のしわ発生を防止することができなかった。それに対し、本発明の湾曲回転ロール１５を設置することにより、濾布のしわ発生を防止することができた。
【図面の簡単な説明】
【００５０】
【図１】本発明のスラリー脱水機の全体を示す概念図である。
【図２】横張力付与ロールとして用いる湾曲回転ロールについて説明する図である。
【図３】横張力付与ロールとして用いる直線型エキスパンドロールについて説明する図であり、（ａ）は断面図、（ｂ）はＡ−Ａ矢視図である。
【図４】横張力付与ロールとして用いるスパイラルロールについて説明する図であり、（ａ）（ｄ）は断面図、（ｂ）（ｃ）はＡ−Ａ矢視図、（ｅ）（ｆ）はＢ−Ｂ矢視図である。
【符号の説明】
【００５１】
１  濾布
２  横張力付与ロール
３  圧搾ロール
４  スクイズロール
５  水中ロール
６  縦張力付与ロール
７  フェルトロール
８  ガイダーロール
９  スラリー供給口
１０  スクレーパー
１１  スラリー
１５  湾曲回転ロール
１６  軸
１７  ベアリング
１８  内ローラ
１９  外筒
２１  直線型エキスパンドロール
２２  移動板
２３  カム板
２４  バネ
２５  ロール本体
２６  埋め込み溝
２７  スパイラルロール
２８  スパイラル突起部
２９  回転モーター
３１  支持ロール
３３  幅端部検出装置
４０  濾布移送方向
Ｗ  濾布幅
Ｐ  スパイラルピッチ
Ｄ  ロール径
【図１】
2006212677.tif 000003
【図２】
2006212677.tif 000004
【図３】
2006212677.tif 000005
【図４】
2006212677.tif 000006